(57)【要約】【課題】薄くて剛性が高く、なおかつ過大な外圧が加わって破損した場合にも割れた破片が飛散するのを防止できる表示窓構造と、これを備えた携帯情報端末の提供を課題とする。【解決手段】外圧の支持を、高い剛性を有するガラス板２１が受け持ち、また、このガラス板２１が割れたときの破片の飛散防止を、隙間ｇ１を空けて設けられた透明樹脂板２２が受け持つ二重板構造の表示窓１６を採用した。また、この表示窓１６を備えた携帯電話を採用した。【選択図】  図３
2004297488.tif 000002
【特許請求の範囲】
【請求項１】
表示部を有する筐体に設けられる表示窓構造であって、
前記筐体に対して固定されるガラス板と、該ガラス板の外表面を覆うように隙間を設けて前記筐体に固定される透明樹脂板とを備える
ことを特徴とする表示窓構造。
【請求項２】
請求項１に記載の表示窓構造において、
前記ガラス板と前記透明樹脂板とが、絶縁性を有する接着素材で貼り合わされている
ことを特徴とする表示窓構造。
【請求項３】
表示部を有する筐体に固定されるガラス板と、該ガラス板の外表面を覆うように隙間を設けて前記筐体に固定される透明樹脂板とを備えた表示窓構造を備えた携帯情報端末。
【発明の詳細な説明】
【０００１】
【発明の属する技術分野】
本発明は、表示窓構造及びこれを用いた携帯情報端末に関し、特に、ＰＤＡ，携帯電話，ＰＨＳなどの携帯情報端末に好適なものである。
【０００２】
【従来の技術】
携帯情報端末の一種である携帯電話は表示部を筐体に備え、例えば図４に示すように、筐体３内に電話番号やメール情報などを表示する液晶モジュール１と、この液晶モジュール１を外圧から保護する１枚の表示窓２とを備えた構造が一般的である。この表示窓２の素材としては、例えば下記特許文献１に記載されているように、アクリル樹脂、ポリカーボネート樹脂などの透明樹脂が一般的に用いられている。
【０００３】
近年、筐体３の薄型化に反して表示領域の大型化が求められている。表示窓２の大型化に際しては、外圧に対する強度不足を防ぐために板厚ｔを増すか、もしくは、液晶モジュール１に対する隙間寸法ｇを大きく取る必要がある。すなわち、表示面積を例えば２倍（対角サイズが１．４倍）にする場合には、従来と同様の撓み量を確保するために板厚ｔを１．４倍に厚くする必要がある。逆に、板厚ｔが厚くなるのを避けて従来通りとする場合には、表示窓２の撓み量増加に応じて隙間寸法ｇを広げる必要がある。
【０００４】
【特許文献１】
特開２００２−６７６４号公報
【０００５】
【発明が解決しようとする課題】
このような外圧対策を施すことにより、大型化した表示窓２の強度をそのままに維持することができるものの、今度は、板厚ｔや隙間寸法ｇの増大が筐体３の薄型化を妨げる原因となる。
そこで、より剛性の高いガラスを表示窓２の素材に採用することも考えられるが、過度の外圧が加わって破損した場合には、割れた破片が飛散してしまうという別の問題を生じる虞がある。
【０００６】
本発明は、上記事情に鑑みてなされたもので、薄くて剛性が高く、なおかつ過大な外圧が加わって破損した場合にも割れた破片が飛散するのを防止できる表示窓構造と、これを備えた携帯情報端末の提供を目的とする。
【０００７】
【課題を解決するための手段】
本発明は、上記課題を解決するために以下の手段を採用した。
すなわち、請求項１に記載の表示窓構造は、表示部を有する筐体に設けられる表示窓構造であって、前記筐体に対して固定されるガラス板と、該ガラス板の外表面を覆うように隙間を設けて前記筐体に固定される透明樹脂板とを備えることを特徴とする。
上記請求項１に記載の表示窓構造によれば、剛性の高いガラス板を用いたことにより、外圧が加わった場合の撓み量を所定以下に維持するための板厚寸法を、透明樹脂板単体を素材に用いた場合に比較して薄くすることができる。また、過大な外圧が加わってガラス板が破損したとしても、隙間を空けて設けられた透明樹脂板がその破片を覆って飛散を防止することができる。しかも、この透明樹脂板は、外圧を受けることを主目的とするものではなく、破片を覆うことを主目的とするものであるため、剛性を備える必要がなく、極めて薄くすることもできる。
【０００８】
請求項２に記載の表示窓構造は、請求項１に記載の表示窓構造において、前記ガラス板と前記透明樹脂板とが、絶縁性を有する接着素材で貼り合わされていることを特徴とする。
上記請求項２に記載の表示窓構造によれば、ガラス板の表面を、接着素材を介して電気的に絶縁された透明樹脂板で被覆することができる。
【０００９】
請求項３に記載の携帯情報端末は、表示部を有する筐体に固定されるガラス板と、該ガラス板の外表面を覆うように隙間を設けて前記筐体に固定される透明樹脂板とを備えた表示窓構造を備えた。
上記請求項３に記載の携帯情報端末によれば、その表示窓構造が、薄くて剛性が高く、なおかつ過大な外圧が加わって破損した場合に、割れた破片の飛散を防止することができるものとなっている。
【００１０】
【発明の実施の形態】
本発明の表示窓構造及びこれを備えた携帯情報端末の一実施形態についての説明を、図面を参照しながら以下に行うが、本発明がこれのみに限定解釈されるものでないことは勿論である。以下の説明においては、携帯情報端末が携帯電話である場合を例に説明を行うものとする。
【００１１】
図１及び図２に示すように、本実施形態の携帯電話は、表示部としての液晶モジュール１１と、この液晶モジュール１１を駆動する電子回路３１及びバッテリー３２と、複数のキーボタン１２ａを配列して構成した入力操作部１２と、マイク１３と、スピーカ１４と、これらを収容する筐体１５と、液晶モジュール１１の表示面１１ａを臨むように筐体１５に形成された開口部１５ａに固定される表示窓１６と、電波を送受信するアンテナ１７とを備えて概略構成されている。
【００１２】
液晶モジュール１１は、前記電子回路からの指示に基づいて電話番号やメール情報、さらには画像情報などをその表示面１１ａに表示する液晶表示装置である。
入力操作部１２は、電源ＯＮキーボタン、電源ＯＦＦキーボタン、各種ファンクションキーボタン、数字キーボタンなどで構成されており、筐体１５の外表面から所定量突出した状態に設けられている。
【００１３】
筐体１５は、平面形状が略長方形化した箱体であり、その内部空間に、前記液晶モジュール１１や前記電子回路３１等が固定されている。前記開口部１５ａは、筐体１５の前面１５ｂに形成された貫通部であり、前記表示面１１ａの略全面を覆う長方形形状を有している。さらに、この開口部１５ａには、図３に示す断面で見た場合に、二段の階段状に形成された段差部を有し、筐体１５の最も内側に配置された１段目の段差部１５ａ１と、この１段目の段差部１５ａ１よりも外側に配置された２段面の段差部１５ａ２とが配置され、これらの段差部１５ａ１，１５ａ２が開口部１５ａの周縁に沿って形成されている。
【００１４】
図３に示すように、表示窓１６は、筐体１５の開口部１５ａに対して固定されるガラス板２１と、このガラス板２１の外表面を覆う透明樹脂板２２とからなり、これらガラス板２１及び透明樹脂板２２間に形成される隙間ｇ１とを備えている。
【００１５】
ガラス板２１は、単体で試験して十分な強度と判断される板厚を有する長方形の平板であり、その周縁部分が、前記１段目の段差部１５ａ１に対して絶縁性を有する両面テープ（接着素材）２３で貼り付けられている。一例として、ガラス板２１と透明樹脂板２２との間の隙間は、前記接着素材の厚み分だけ離間され設けられている。このガラス板２１の周縁と、１段目の段差部１５ａ１の内周面との間には、組み立て易さを考慮して隙間ｇ２が形成されているが、ガラス板２１の周辺と１段目の段差部１５ａ１との間の接合面間が両面テープ２３で隙間なく封止されているため、ガラス板２１の周縁を通って外部からの空気が筐体１５内に入り込むのを遮断し、静電気を液晶モジュール１１に寄せ付けることのないように保護している。また、前記１段目の段差部１５ａ１の段差深さは、これに取り付けられた両面テープ２３の厚みにガラス板２１の厚みを加えた寸法と等しくされているため、前記２段目の段差部１５ａ２の底面とガラス板２１の上面とが面一をなすようになっている。
【００１６】
透明樹脂板２２は、部品として供給できる最も薄い厚さ寸法を有する長方形平板であり、素材として例えばアクリル樹脂やポリカーボネート樹脂を採用している。この透明樹脂板２２の裏面側の周縁部分には、図１及び図３に示すようにアルミニウム箔がホットスタンプ（箔押し）で転写されており、これによって装飾枠２４が形成されている。
【００１７】
そして、この透明樹脂板２２は、前記２段目の段差部１５ａ２及びガラス板２１の上面に対して、絶縁性を有する両面テープ（接着素材）２５で貼り付けられている。一例として、この両面テープ（接着素材）２５の厚み分だけガラス板２１の上面と透明樹脂板２２の裏面との間に隙間ｇ１を形成している。この透明樹脂板２２の周縁と、２段目の段差部１５ａ２の内周面との間には、組み立て易さを考慮して隙間ｇ３が形成されているが、透明樹脂板２２の周辺と、ガラス板２１の上面及び２段目の段差部１５ａ２との間の接合面間が両面テープ２５で隙間なく封止されているため、透明樹脂板２２からガラス板２１に直接向かう通電パスを遮断するとともに、透明樹脂板２２の周縁を通って外部からの空気がガラス２１に向かうのを遮断するように構成されている。これにより、外部から静電気がガラス板２１に向かうのを阻止することが可能となっている。
このように、導電性を有する装飾枠２４を透明樹脂板２２の裏面に備えながらも、開口部１５ａから入り込もうとする静電気を二重に遮断することができるため、内部の液晶モジュール１１を静電気から確実に保護することが可能となっている。また、２重に遮断することから、各両面テープ２３，２５それぞれの幅寸法を狭めても十分に静電気を遮断することができる。これにより、表示可能領域をより広く確保することも可能としている。
【００１８】
以上説明の構成を有する表示窓１６に外圧が作用した場合、透明樹脂板２２に撓みが生じるが、この撓み量が比較的小さい場合には、隙間ｇ１が有るために透明樹脂板２２がガラス板２１の表面に当たることがなく、ガラス板２１に外圧が作用するのを防ぐことができる。
これよりも強い外圧が加わった場合には、透明樹脂板２２の裏面がガラス板２１の上面に当接するため、ガラス板２１がその高い剛性をもって外圧を支持する役目を受け持つ。一方、透明樹脂板２２は、ガラス板２１の上面が傷つくことのないようにこれを覆って保護する。
【００１９】
さらに強い外圧が加わった場合には、ガラス板２１が外圧を受けきれずに破損するが、割れた破片は透明樹脂板２２によって覆われたままとなるため、外部に飛散することがない。このとき、前記隙間ｇ１を備えたことにより、飛散防止の効果を確実に得ることが可能となっている。
すなわち、ガラス板２１に対して、前記隙間ｇ１が生じないように透明樹脂板２２を全面において密着させて貼り付けた場合、割れたガラス板２１の破片同士がこれに貼り付けられている透明樹脂板２２を引っ張り合い、ついにはその破断面で透明樹脂板２２を傷つけて破き、飛散する虞がある。これに対し、本実施形態では、隙間ｇ１によってガラス板２１から透明樹脂板２２を離して一体化していないため、割れた破片同士が透明樹脂板２２を引っ張るのを防ぐことが可能となっている。これにより、飛散防止の効果を確実に得ることが可能となっている。
【００２０】
以上説明の本実施形態の携帯電話は、その表示窓１６に作用する外圧の支持を、高い剛性を有するガラス板２１が受け持ち、また、このガラス板２１が割れたときの破片の飛散防止を、隙間ｇ１を空けて設けられた透明樹脂板２２が受け持つ二重板構造を採用した。この構成によれば、薄いガラス板２１と薄い透明樹脂板２２との組み合わせであるため、二重構造であっても、従来の透明樹脂板単体を採用する場合に比較して、全体としての厚み寸法を薄くすることが可能となる。
これに関する検討結果の一例を挙げると、従来の透明樹脂板単体の場合、２インチ液晶サイズに対応する表示窓の撓み量を０．１ｍｍ以下に保つ場合、その厚みは２．１ｍｍとなる。これに対し、前記ガラス板２１のように素材にガラスを採用した場合、表示窓１６の厚み寸法は１ｍｍで十分な剛性を確保することができる。そして、ガラス破片の飛散を防止する透明樹脂板２２の厚み寸法としては、例えば０．５ｍｍの厚みで対応することができる。使用する両面テープ２３，２５の厚みは０．０５ｍｍから０．１ｍｍ程度であるため、全てを足しても０．１ｍｍ＋１ｍｍ＋０．１ｍｍ＋０．５ｍｍ＝１．７ｍｍとなり、約８１％程度の厚みに薄型化することが可能となる。
したがって、本実施形態の表示窓１６によれば、たとえ液晶サイズを大きくし、表示窓自身のサイズが大きくなっても、薄くて剛性が高く、なおかつ過大な外圧が加わって破損した場合にも、割れた破片が飛散するのを防ぐことが可能となる。
【００２１】
そして、本実施形態の携帯電話によれば、薄くて剛性が高く、なおかつ過大な外圧が加わって破損した場合に割れた破片が飛散するのを防止できる表示窓１６を備えるものであるため、表示領域拡大と筐体薄型化との双方を両立することが可能となっている。
【００２２】
なお、上記実施形態では、本発明を、表示部が常に外部に露出している携帯電話に適用した場合を例に説明したが、これに限らず、筐体を二つ折りにすることで表示部を内側に隠すフォルダモデルに適用しても良い。ただし、常に表示部が露出している方が直接的に外圧を受けやすいので、本発明の表示窓構造は常に露出している表示部側に用いることが好ましい。
さらに、上記実施形態では、本発明を携帯電話に適用した場合を例に説明したが、これに限らず、ＰＨＳやＰＤＡなど、表示窓を有するその他の携帯情報端末に適用しても良いことは勿論である。
【００２３】
【発明の効果】
本発明の請求項１に記載の表示窓構造は、外圧の支持を、高い剛性を有するガラス板が受け持ち、また、このガラス板が割れたときの破片の飛散防止を、隙間を空けて設けられた透明樹脂板が受け持つ二重板構造を採用した。この構成によれば、薄いガラス板と薄い透明樹脂板との組み合わせることができるため、二重構造であっても、従来の透明樹脂単体を採用した場合に比較して、全体としての厚み寸法を薄くすること（筐体薄型化）が可能となる。
したがって、本発明の表示窓構造によれば、薄くて剛性が高く、なおかつ過大な外圧が加わって破損した場合にも、割れた破片が飛散するのを防ぐことが可能となる。
【００２４】
また、請求項２に記載の表示窓構造は、ガラス板と透明樹脂板との間を、絶縁性を有する接着素材で貼り合わす構成を採用した。この構成によれば、ガラス板を透明樹脂板で覆うことで、ガラス板を介して筐体内に静電気が侵入するのを防ぐことが可能となる。
【００２５】
本発明の請求項３に記載の携帯情報端末は、表示部を有する筐体に固定されるガラス板と、該ガラス板の外表面を覆うように隙間を設けて前記筐体に固定される透明樹脂板とを備えた表示窓構造を備える構成を採用した。この構成によれば、携帯情報端末の表示窓部が、薄くて剛性が高く、なおかつ過大な外圧が加わって破損した場合に割れた破片が飛散するのを防止できるものであるため、表示領域拡大と筐体薄型化との双方を両立することが可能となる。
【図面の簡単な説明】
【図１】本発明の携帯情報端末の一実施形態である携帯電話を示す斜視図である。
【図２】図１の同携帯電話における表示窓構造を示す図であって、表示窓に垂直な断面で見た場合の断面図である。
【図３】本発明の表示窓構造の詳細を示す図であって、図２の部分拡大図である。
【図４】従来の携帯電話における表示窓構造を示す図であって、表示窓に垂直な断面で見た場合の断面図である。
【符号の説明】
１５・・・筐体
１６・・・表示窓
２１・・・ガラス板
２２・・・透明樹脂板
ｇ１・・・隙間
２３，２５・・・両面テープ（接着素材）
【図１】
2004297488.tif 000003
【図２】
2004297488.tif 000004
【図３】
2004297488.tif 000005
【図４】
2004297488.tif 000006